(57)【要約】  本発明は、端末によって報告されたチャネル品質インジケータCQI値を収集するように構成された収集ユニットと、前記収集ユニットによって収集された前記CQI値にしたがって、関連づけられた専用物理チャネルA-DPCHの、前記CQI値に対応する送信電力レンジを決定するように構成された決定ユニットと、前記決定ユニットによって決定された前記A-DPCHの前記送信電力レンジ内で、前記A-DPCHの送信電力を、前記A-DPCHの前記送信電力についての前記端末の要求にしたがって調節するように構成された調節ユニットとを含む基地局を開示する。本発明の実施形態によって提供される基地局は、A-DPCHの送信電力についての端末の要求にしたがって基地局のA-DPCHの送信電力を調節することにより、A-DPCHが送信電力リソースを浪費することを防止し得る。
2016533125.tif 000002
【特許請求の範囲】
【請求項１】
端末によって報告されたチャネル品質インジケータCQI値を収集するように構成された収集ユニットと、
前記収集ユニットによって収集された前記CQI値にしたがって、関連づけられた専用物理チャネルA-DPCHの、前記CQI値に対応する送信電力レンジを決定するように構成された決定ユニットと、
前記決定ユニットによって決定された前記A-DPCHの前記送信電力レンジ内で、前記A-DPCHの送信電力を、前記A-DPCHの前記送信電力についての前記端末の要求にしたがって調節するように構成された調節ユニットと
を備える基地局。
【請求項２】
前記決定ユニットは特に、前記CQI値にしたがって、およびCQI値対前記CQI値に対応する前記A-DPCHの送信電力の関係表またはシミュレーション図から、前記A-DPCHの、前記CQI値に対応する前記送信電力レンジを決定するように構成される、
請求項1に記載の基地局。
【請求項３】
前記決定ユニットは特に、制御データがシグナリング無線ベアラSRBにわたって前記端末に送信される場合、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する前記送信電力レンジを決定するように構成される、
請求項2に記載の基地局。
【請求項４】
前記収集ユニットは特に、前記端末がサービス提供リンクと非サービス提供リンクとの間のハンドオーバーエリアにある場合、前記端末によって報告された前記サービス提供リンクのCQI値を収集するように構成され、
前記決定ユニットは特に、前記サービス提供リンクの前記CQI値にしたがって前記サービス提供リンクのA-DPCHの送信電力レンジを決定し、前記サービス提供リンクの前記A-DPCHの前記送信電力レンジを前記非サービス提供リンクのA-DPCHの送信電力レンジとして設定するように構成される、
請求項1から3のいずれか一項に記載の基地局。
【請求項５】
前記基地局はさらに、増加ユニットと送信ユニットとを備え、
前記増加ユニットは、前記収集ユニットが、前記端末がハードハンドオーバーエリアにあることと、制御データがシグナリング無線ベアラSRBにわたって前記端末に送信されることとを学習した場合、前記A-DPCHの前記送信電力を予め設定された量だけ増加させるように構成され、
前記送信ユニットは、前記増加ユニットによって増加させられた前記A-DPCHの前記送信電力を使用することにより前記SRBにわたって前記制御データを送信するように構成される、
請求項1から3のいずれか一項に記載の基地局。
【請求項６】
前記収集ユニットは特に、非高速下りリンクパケットアクセスHSDPA電力を収集し、前記非HSDPA電力が予め設定されたしきい値を超える場合、前記端末によって報告されたチャネル品質インジケータCQIを収集するように構成される、
請求項1から5のいずれか一項に記載の基地局。
【請求項７】
端末によって報告されたチャネル品質インジケータCQI値を基地局により収集するステップと、
前記CQI値にしたがって、関連づけられた専用物理チャネルA-DPCHの、前記CQI値に対応する送信電力レンジを前記基地局により決定するステップと、
前記A-DPCHの前記送信電力レンジ内で、前記A-DPCHの送信電力を、前記A-DPCHの前記送信電力についての前記端末の要求にしたがって、前記基地局により調節するステップと
を備える、電力制御方法。
【請求項８】
前記CQI値にしたがって、A-DPCHの、前記CQI値に対応する送信電力レンジを前記基地局により決定するステップは、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジを前記基地局により決定するステップを備える、
請求項7に記載の方法。
【請求項９】
制御データがシグナリング無線ベアラSRBにわたって前記端末に送信される場合、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジを前記基地局により決定するステップは、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する送信電力レンジを前記基地局により決定するステップを備える、
請求項8に記載の方法。
【請求項１０】
前記端末がサービス提供リンクと非サービス提供リンクとの間のハンドオーバーエリアにある場合、端末によって報告されたチャネル品質インジケータCQI値を基地局により収集するステップは、前記端末によって報告された前記サービス提供リンクのCQI値を前記基地局により収集するステップを備え、
前記CQI値にしたがって、関連づけられた専用物理チャネルA-DPCHの、前記CQI値に対応する送信電力レンジを前記基地局により決定するステップは、前記基地局により、前記サービス提供リンクの前記CQI値にしたがって前記サービス提供リンクのA-DPCHの送信電力レンジを決定するステップと、前記サービス提供リンクの前記A-DPCHの前記送信電力レンジを前記非サービス提供リンクのA-DPCHの送信電力レンジとして設定するステップとを備える、
請求項7から9のいずれか一項に記載の方法。
【請求項１１】
前記方法はさらに、前記端末がハードハンドオーバーエリアにあり、制御データがシグナリング無線ベアラSRBにわたって前記端末に送信される場合、前記基地局により、前記A-DPCHの前記送信電力を予め設定された量だけ増加させるステップと、前記A-DPCHの前記増加させられた送信電力を使用することにより前記SRBにわたって前記制御データを送信するステップとを備える、
請求項7から9のいずれか一項に記載の方法。
【請求項１２】
端末によって報告されたチャネル品質インジケータCQI値を基地局により収集するステップは、非高速下りリンクパケットアクセスHSDPA電力を前記基地局により収集するステップと、前記非HSDPA電力が予め設定されたしきい値を超える場合、前記端末によって報告されたチャネル品質インジケータCQIを前記基地局により収集するステップとを備える、
請求項7から11のいずれか一項に記載の方法。
【請求項１３】
少なくとも1つのプロセッサ、メモリ、トランシーバ、通信インターフェース、およびバスシステムを備える基地局であって、前記プロセッサ、前記メモリ、および前記トランシーバは、前記バスシステムを介して互いに通信し、前記通信インターフェースは、前記基地局と基地局コントローラとの間の通信のために使用され、前記トランシーバは、端末と通信するように構成され、前記メモリは、関連づけられた専用物理チャネルA-DPCHでの送信電力制御を前記プロセッサに実行させる命令を記憶するように構成され、
前記プロセッサは、以下のステップ、
前記端末によって報告されたチャネル品質インジケータCQI値を収集するステップと、
前記CQI値にしたがって、関連づけられた専用物理チャネルA-DPCHの、前記CQI値に対応する送信電力レンジを決定するステップと、
前記A-DPCHの前記送信電力レンジ内で、前記A-DPCHの送信電力を、前記A-DPCHの前記送信電力についての前記端末の要求にしたがって、調節するステップと
を実行するように構成される、基地局。
【請求項１４】
前記プロセッサは特に、前記CQI値にしたがって、およびCQI値対前記CQI値に対応する前記A-DPCHの送信電力の関係表またはシミュレーション図から、前記A-DPCHの、前記CQI値に対応する前記送信電力レンジを決定するように構成され、前記関係表またはシミュレーション図は、前記メモリに記憶されるか、または、前記通信インターフェースを使用することにより収集される、
請求項13に記載の基地局。
【請求項１５】
前記プロセッサは特に、制御データがシグナリング無線ベアラSRBにわたって前記端末に送信される場合、前記CQI値にしたがって、およびCQI値対前記A-DPCHによって要求されかつ前記CQI値に対応する前記送信電力の関係表またはシミュレーション図から、前記SRBをベアリングする前記A-DPCHの、前記CQI値に対応する前記送信電力レンジを決定するように構成され、前記関係表またはシミュレーション図は、前記メモリに記憶されるか、または、前記通信インターフェースを使用することにより収集される、
請求項14に記載の基地局。
【請求項１６】
前記プロセッサは特に、前記端末がサービス提供リンクと非サービス提供リンクとの間のハンドオーバーエリアにある場合、前記端末によって報告された前記サービス提供リンクのCQI値を収集し、前記サービス提供リンクの前記CQI値にしたがって前記サービス提供リンクのA-DPCHの送信電力レンジを決定し、前記サービス提供リンクの前記A-DPCHの前記送信電力レンジを前記非サービス提供リンクのA-DPCHの送信電力レンジとして設定するように構成される、
請求項13から15のいずれか一項に記載の基地局。
【請求項１７】
前記プロセッサは特に、前記端末がハードハンドオーバーエリアにあり、制御データがシグナリング無線ベアラSRBにわたって前記端末に送信される場合、前記A-DPCHの前記送信電力を予め設定された量だけ増加させるように構成され、
前記トランシーバは、前記A-DPCHの前記増加させられた送信電力を使用することにより前記SRBにわたって前記制御データを送信するように構成される、
請求項13から15のいずれか一項に記載の基地局。
【請求項１８】
前記プロセッサは特に、非高速下りリンクパケットアクセスHSDPA電力を収集し、前記非HSDPA電力が予め設定されたしきい値を超える場合、前記端末によって報告されたチャネル品質インジケータCQIを収集するように構成される、
請求項13から17のいずれか一項に記載の基地局。
【請求項１９】
端末と基地局とを備える電力制御システムであって、前記基地局は、請求項1から6のいずれか一項に記載の基地局である、電力制御システム。
【発明の詳細な説明】
【技術分野】
【０００１】
本発明は、通信技術の分野に関し、特に、電力制御方法、基地局、およびシステムに関する。
【背景技術】
【０００２】
ワイドバンド符号分割多元接続（Wideband Code Division Multiple Access, WCDMA(登録商標)）システムのパケットサービスサポートケイパビリティを改善するために、高速下りリンクパケットアクセス（high speed packet access, HSDPA）技術が導入されている。セルにおけるすべてのHSDPAユーザが、時間分割および符号分割方式で、複数の高速共有制御チャネル（high speed share control channel, HS-SCCH）および高速物理下りリンク共有チャネル（High-Speed Physical Downlink Shared Channel, HS-PDSCH）を共有する。
【０００３】
各々のHSDPAユーザのために、シグナリングベアリング、上りリンクおよび下りリンクと内側および外側ループの電力制御、および下りリンク同期といった機能を改善するために、第3世代パートナーシッププロジェクト（3rd Generation Partnership Project, 3GPP）のプロトコルによって規定されているように、1つの関連づけられた専用物理チャネル（付随専用物理チャネル、A-DPCH）が構成される必要がある。
【０００４】
A-DPCHの電力制御プロセスは、基地局が端末の内側ループ電力制御（The inner loop power control, TPC）コマンドワードにしたがってA-DPCHの電力の増加または低下を制御することである。端末がシグナリング無線ベアラ（Signaling radio bearer, SRB）の受信品質を考慮すると、これによって、A-DPCHの送信電力のマージンが予約され、これは、実際のネットワークでA-DPCHによって占有される送信電力リソースにおける浪費を招く。
【発明の概要】
【０００５】
本発明の実施形態において技術的課題を解決するために、本発明の実施形態は、端末によって報告されたCQI値にしたがってA-DPCHの送信電力レンジを決定し、そのレンジ内でA-DPCHの送信電力レンジを調節することにより、関連づけられた専用物理チャネルA-DPCHが送信電力リソースを浪費するのを防止し得る、基地局を提供する。本発明の実施形態はさらに、対応する方法およびシステムを提供する。
【課題を解決するための手段】
【０００６】
第1の態様によると、本発明の実施形態は、端末によって報告されたチャネル品質インジケータCQI値を収集するように構成された収集ユニットと、前記収集ユニットによって収集された前記CQI値にしたがって、関連づけられた専用物理チャネルA-DPCHの、前記CQI値に対応する送信電力レンジを決定するように構成された決定ユニットと、前記決定ユニットによって決定された前記A-DPCHの前記送信電力レンジ内で、前記A-DPCHの送信電力を、前記A-DPCHの前記送信電力についての前記端末の要求にしたがって調節するように構成された調節ユニットとを含む基地局を提供する。
【０００７】
第1の態様の第1の可能な実現手法において、前記決定ユニットは特に、前記CQI値にしたがって、およびCQI値対前記CQI値に対応する前記A-DPCHの送信電力の関係表またはシミュレーション図から、前記A-DPCHの、前記CQI値に対応する前記送信電力レンジを決定するように構成される。
【０００８】
第1の態様の第1の可能な実現手法に関し、第2の可能な実現手法において、前記決定ユニットは特に、制御データがシグナリング無線ベアラSRBにわたって前記端末に送信される場合、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する前記送信電力レンジを決定するように構成される。
【０００９】
第1の態様または第1の態様の第1から第2の可能な実現手法のいずれか1つに関し、第3の可能な実現手法において、前記収集ユニットは特に、前記端末がサービス提供リンクと非サービス提供リンクとの間のハンドオーバーエリアにある場合、前記端末によって報告された前記サービス提供リンクのCQI値を収集するように構成され、前記決定ユニットは特に、前記サービス提供リンクの前記CQI値にしたがって前記サービス提供リンクのA-DPCHの送信電力レンジを決定し、前記サービス提供リンクの前記A-DPCHの前記送信電力レンジを前記非サービス提供リンクのA-DPCHの送信電力レンジとして設定するように構成される。
【００１０】
第1の態様または第1の態様の第1から第2の可能な実現手法のいずれか1つに関し、第4の可能な実現手法において、前記基地局はさらに、増加ユニットと送信ユニットとを含み、前記増加ユニットは、前記収集ユニットが、前記端末がハードハンドオーバーエリアにあることと、制御データがシグナリング無線ベアラSRBにわたって前記端末に送信されることとを学習した場合、前記A-DPCHの前記送信電力を予め設定された量だけ増加させるように構成され、前記送信ユニットは、前記増加ユニットによって増加させられた前記A-DPCHの前記送信電力を使用することにより前記SRBにわたって前記制御データを送信するように構成される。
【００１１】
第1の態様または第1の態様の第1から第4の可能な実現手法のいずれか1つに関し、第5の可能な実現手法において、前記収集ユニットは特に、非高速下りリンクパケットアクセスHSDPA電力を収集し、前記非HSDPA電力が予め設定されたしきい値を超える場合、前記端末によって報告されたチャネル品質インジケータCQIを収集するように構成される。
【００１２】
第2の態様によると、本発明の実施形態は、端末によって報告されたチャネル品質インジケータCQI値を基地局により収集するステップと、前記CQI値にしたがって、関連づけられた専用物理チャネルA-DPCHの、前記CQI値に対応する送信電力レンジを前記基地局により決定するステップと、前記A-DPCHの前記送信電力レンジ内で、前記A-DPCHの送信電力を、前記A-DPCHの前記送信電力についての前記端末の要求にしたがって、前記基地局により調節するステップとを含む、電力制御方法を提供する。
【００１３】
第2の態様の第1の可能な実現手法において、前記CQI値にしたがって、A-DPCHの、前記CQI値に対応する送信電力レンジを前記基地局により決定するステップは、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジを前記基地局により決定するステップを含む。
【００１４】
第2の態様の第1の可能な実現手法に関し、第2の可能な実現手法において、制御データがシグナリング無線ベアラSRBにわたって前記端末に送信される場合、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジ送信電力レンジを前記基地局により決定するステップは、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する送信電力レンジを前記基地局により決定するステップを含む。
【００１５】
第2の態様または第2の態様の第1から第2の可能な実現手法のいずれか1つに関し、第3の可能な実現手法において、前記端末がサービス提供リンクと非サービス提供リンクとの間のハンドオーバーエリアにある場合、端末によって報告されたチャネル品質インジケータCQI値を基地局により収集するステップは、前記端末によって報告された前記サービス提供リンクのCQI値を前記基地局により収集するステップを含み、前記CQI値にしたがって、関連づけられた専用物理チャネルA-DPCHの、前記CQI値に対応する送信電力レンジを前記基地局により決定するステップは、前記基地局により、前記サービス提供リンクの前記CQI値にしたがって前記サービス提供リンクのA-DPCHの送信電力レンジを決定するステップと、前記サービス提供リンクの前記A-DPCHの前記送信電力レンジを前記非サービス提供リンクのA-DPCHの送信電力レンジとして設定するステップとを含む。
【００１６】
第2の態様または第2の態様の第1から第2の可能な実現手法のいずれか1つに関し、第4の可能な実現手法において、前記方法はさらに、前記端末がハードハンドオーバーエリアにあり、制御データがシグナリング無線ベアラSRBにわたって前記端末に送信される場合、前記基地局により、前記A-DPCHの前記送信電力を予め設定された量だけ増加させるステップと、前記A-DPCHの前記増加させられた送信電力を使用することにより前記SRBにわたって前記制御データを送信するステップとを含む。
【００１７】
第2の態様または第2の態様の第1から第4の可能な実現手法のいずれか1つに関し、第5の可能な実現手法において、端末によって報告されたチャネル品質インジケータCQI値を基地局により収集するステップは、非高速下りリンクパケットアクセスHSDPA電力を前記基地局により収集するステップと、前記非HSDPA電力が予め設定されたしきい値を超える場合、前記端末によって報告されたチャネル品質インジケータCQIを前記基地局により収集するステップとを含む。
【００１８】
第3の態様によると、本発明の実施形態は、少なくとも1つのプロセッサ、メモリ、トランシーバ、通信インターフェース、およびバスシステムを含む基地局を提供し、前記プロセッサ、前記メモリ、および前記トランシーバは、前記バスシステムを介して互いに通信し、前記通信インターフェースは、前記基地局と基地局コントローラとの間の通信のために使用され、前記トランシーバは、端末と通信するように構成され、前記メモリは、関連づけられた専用物理チャネルA-DPCHでの送信電力制御を前記プロセッサに実行させる命令を記憶するように構成され、前記プロセッサは、以下のステップ、前記端末によって報告されたチャネル品質インジケータCQI値を収集するステップと、前記CQI値にしたがって、関連づけられた専用物理チャネルA-DPCHの、前記CQI値に対応する送信電力レンジを決定するステップと、前記A-DPCHの前記送信電力レンジ内で、前記A-DPCHの送信電力を、前記A-DPCHの前記送信電力についての前記端末の要求にしたがって、調節するステップとを実行するように構成される。
【００１９】
第3の態様の第1の可能な実現手法において、前記プロセッサは特に、前記CQI値にしたがって、およびCQI値対前記CQI値に対応する前記A-DPCHの送信電力の関係表またはシミュレーション図から、前記A-DPCHの、前記CQI値に対応する前記送信電力レンジを決定するように構成される。
【００２０】
第3の態様の第1の可能な実現手法に関し、第2の可能な実現手法において、前記プロセッサは特に、制御データがシグナリング無線ベアラSRBにわたって前記端末に送信される場合、前記CQI値にしたがって、およびCQI値対前記A-DPCHによって要求されかつ前記CQI値に対応する前記送信電力の関係表またはシミュレーション図から、前記SRBをベアリングする前記A-DPCHの、前記CQI値に対応する前記送信電力レンジを決定するように構成される。
【００２１】
第3の態様または第3の態様の第1から第2の可能な実現手法のいずれか1つに関し、第3の可能な実現手法において、前記プロセッサは特に、前記端末がサービス提供リンクと非サービス提供リンクとの間のハンドオーバーエリアにある場合、前記端末によって報告された前記サービス提供リンクのCQI値を収集し、前記サービス提供リンクの前記CQI値にしたがって前記サービス提供リンクのA-DPCHの送信電力レンジを決定し、前記サービス提供リンクの前記A-DPCHの前記送信電力レンジを前記非サービス提供リンクのA-DPCHの送信電力レンジとして設定するように構成される。
【００２２】
第3の態様または第3の態様の第1から第2の可能な実現手法のいずれか1つに関し、第4の可能な実現手法において、前記プロセッサは特に、前記端末がハードハンドオーバーエリアにあり、制御データがシグナリング無線ベアラSRBにわたって前記端末に送信される場合、前記A-DPCHの前記送信電力を予め設定された量だけ増加させるように構成され、前記トランシーバは、前記A-DPCHの前記増加させられた送信電力を使用することにより前記SRBにわたって前記制御データを送信するように構成される。
【００２３】
第3の態様または第3の態様の第1から第4の可能な実現手法のいずれか1つに関し、第5の可能な実現手法において、前記プロセッサは特に、非高速下りリンクパケットアクセスHSDPA電力を収集し、前記非HSDPA電力が予め設定されたしきい値を超える場合、前記端末によって報告されたチャネル品質インジケータCQIを収集するように構成される。
【００２４】
第4の態様によると、本発明の実施形態は、端末と基地局とを含む電力制御システムであって、前記基地局は、上記技術的ソリューションのいずれか1つに係る基地局である、電力制御システムを提供する。
【００２５】
本発明の実施形態によって提供される基地局によると、収集ユニットは、端末によって報告されたチャネル品質インジケータCQI値を収集し、決定ユニットは、前記収集ユニットによって収集された前記CQI値にしたがって、関連づけられた専用物理チャネルA-DPCHの、前記CQI値に対応する送信電力レンジを決定し、調節ユニットは、前記決定ユニットによって決定された前記A-DPCHの前記送信電力レンジ内で、前記A-DPCHの送信電力を、前記A-DPCHの前記送信電力についての前記端末の要求にしたがって調節する。A-DPCHによって占有される送信電力リソースにおける浪費が存在する従来技術と比較すると、本発明の実施形態によって提供される基地局は、A-DPCHの送信電力についての端末の要求にしたがって基地局のA-DPCHの送信電力を調節することにより、A-DPCHが送信電力リソースを浪費することを防止し得る。たとえ端末によって要求される量がA-DPCHの送信電力レンジの上限を超える場合であっても、A-DPCHの電力が上限まで調節されるのみであることにより、端末がA-DPCHの過剰な電力リソースを要求した場合にA-DPCHが送信電力リソースを浪費することを防止する。
【００２６】
本発明の実施形態における技術的ソリューションをより明確に説明するために、以下は、実施形態を説明するために必要とされる添付図面を簡潔に紹介する。明らかに、以下の説明における添付図面は単に本発明のいくつかの実施形態を示すものであり、当業者は、これらの添付図面から創造的な努力なしに他の図面をさらに導き出すことができる。
【図面の簡単な説明】
【００２７】
【図１】本発明の実施形態に係る電力制御システムの実施形態の模式図である。
【図２】本発明の実施形態に係る電力制御方法の別の実施形態の模式図である。
【図３】本発明の実施形態に係る電力制御方法の別の実施形態の模式図である。
【図４】本発明の実施形態に係る基地局の実施形態の模式図である。
【図５】本発明の実施形態に係る基地局の別の実施形態の模式図である。
【図６】本発明の実施形態に係る基地局の別の実施形態の模式図である。
【発明を実施するための形態】
【００２８】
本発明の実施形態は、端末によって報告されたCQI値にしたがってA-DPCHの送信電力レンジを決定し、そのレンジ内でA-DPCHの送信電力レンジを調節することにより、関連づけられた専用物理チャネルA-DPCHが送信電力リソースを浪費するのを防止し得る、基地局を提供する。本発明の実施形態はさらに、対応する方法およびシステムを提供する。詳細な説明が以下に提供される。
【００２９】
以下は、本発明の実施形態における添付図面を参照して本発明の実施形態における技術的ソリューションを明確かつ完全に説明する。明らかに、説明される実施形態は、本発明の実施形態の全部ではなく単なる一部にすぎない。本発明の実施形態に基づいて創造的な努力なしに当業者によって得られるすべての他の実施形態が、本発明の保護範囲内に入るものとする。
【００３０】
図1に示されているように、本発明の実施形態は、電力制御システムを提供し、電力制御システムは、端末および基地局を含み、端末および基地局は、エアインターフェースにわたって互いに通信する。関連づけられた専用物理チャネル（A-DPCH、付随専用物理チャネル）を制御するプロセスにおいて、端末は、チャネル品質インジケータ（CQI, Channel Quality Indicator）値を基地局に報告し、基地局は、CQI値にしたがって、関連づけられた専用物理チャネルA-DPCHの、CQI値に対応する送信電力レンジを決定し、A-DPCHの送信電力レンジ内で、A-DPCHの送信電力を、A-DPCHの送信電力についての端末の要求にしたがって調節する。
【００３１】
具体的なプロセスは以下の通りであり得る。
【００３２】
本発明の本実施形態では、異なるチャネル品質インジケータ（CQI, Channel Quality Indicator）値の状況下で、研究開発職員が、多数のシミュレーションおよび検証実験により、端末が同期を外れずに正常に情報を受信できることを保証する、関連づけられた専用物理チャネル（A-DPCH、付随専用物理チャネル）の最小送信電力を見出す。端末によって報告されたCQIのレンジは、0から30である。したがって、各々のCQI値は、A-DPCHの1つの最小送信電力に対応する。加えて、異なるチャネル環境における電力要求間の差を考慮して、受信が端末により正常に行われ得ることを保証するために、A-DPCHの送信電力は、各々のCQI値に対応するA-DPCHの最大送信電力を決定し、最終的に、表1に示されたようなCQI値とCQI値に対応するA-DPCHの送信電力との間の対応の表を形成するために、これに基づいて増加させられる必要がある。
【００３３】
【表１】
2016533125.tif 000003
【００３４】
表1に示されているように、CQI値が3である場合、CQI=3に対応して、および、シグナリング無線ベアラ（Signaling radio bearer, SRB）が存在しない場合、A-DPCHの最小送信電力がPminnoSRB(3)であり、A-DPCHの最大送信電力がPmaxnoSRB(3)であることが、表から決定され得る。したがって、SRBが存在しない場合、A-DPCHの、CQI=3に対応する送信電力レンジは、PminnoSRB(3)からPmaxnoSRB(3)である。
【００３５】
さらに、本発明の本実施形態では、制御データがA-DPCHでSRBにわたって端末に送信されるケースが考慮される。したがって、A-DPCHでのSRBが存在する場合、CQI=3に対応して、およびSRBが存在する場合、A-DPCHの最小送信電力は、PminwithSRB(3)であり、A-DPCHの最大送信電力は、PmaxwithSRB(3)である。したがって、SRBが存在する場合、A-DPCHの、CQI=3に対応する送信電力レンジは、PminwithSRB(3)からPmaxwithSRB(3)である。
【００３６】
SRBが存在する場合のA-DPCHの最大送信電力および最小送信電力は、それぞれ、SRBが存在しない場合のA-DPCHの最大送信電力および最小送信電力より大きい。
【００３７】
SRBが存在するかSRBが存在しないかにかかわらず、CQIに対応するA-DPCHの最小送信電力は、A-DPCHの送信電力レンジの下限を基準とし得、CQIに対応するA-DPCHの最大送信電力は、A-DPCHの送信電力レンジの上限を基準とし得る。
【００３８】
さらに、A-DPCHの送信電力レンジを決定する際、A-DPCHの送信電力レンジが表1に示されたようにのみ決定されるとは限らず、A-DPCHの送信電力レンジはまた、図2に示されたシミュレーション図によって決定され、得られることもできる。
【００３９】
表1に示された関係表および図2に示されたシミュレーション図は、両者とも基地局のメモリにおいて予め設定され得るか、または、基地局には記憶されないが、たとえば、基地局コントローラに記憶され得、基地局が関係表およびシミュレーション図を必要とする場合、基地局は、基地局と基地局コントローラとの間のインターフェースを使用することにより関係表またはシミュレーション図を収集する。したがって、端末によって報告されたCQI値を収集した後、基地局は、関係表またはシミュレーション図にしたがって、A-DPCHの、CQI値に対応する電力レンジを決定し得、したがって、A-DPCHの電力の上限と下限との間で、A-DPCHの送信電力をA-DPCHの送信電力についての端末の要求にしたがって調節し得る。調節プロセスは、端末が基地局にコマンドワードを送信することであり得、コマンドワードは、増加または低下命令、たとえば、1dBの増加を搬送する。しかしながら、本発明の本実施形態における電力調節は、CQIに対応する送信電力レンジ内でのみ行われ得るので、たとえ端末によって要求される量がA-DPCHの送信電力レンジの上限を超える場合であっても、A-DPCHの送信電力が上限まで調節されるのみであることにより、端末がA-DPCHの過剰な送信電力リソースを要求した場合にA-DPCHが送信電力リソースを浪費することを防止する。
【００４０】
CQI値とA-DPCHの送信電力の上限および下限との間の対応の理解のために、さらに図2が参照され得る。
【００４１】
図2に示されたシミュレーション図は、各々のCQI値に対応するA-DPCHの電力の上限および下限を示す。
【００４２】
加えて、本願の本実施形態はさらに、端末がサービス提供リンクと非サービス提供リンクとの間のハンドオーバーエリアにあり、サービス提供リンクと非サービス提供リンクの両方が端末と基地局との間に存在する場合、サービス提供リンクのみがCQIを有するので、サービス提供リンクのA-DPCHの送信電力レンジが、端末によって報告されるサービス提供リンクのCQI値にしたがって決定され得る、ということを考慮する。非サービス提供リンクのチャネル品質は、サービス提供リンクのチャネル品質と同様であるので、サービス提供リンクのA-DPCHの送信電力レンジが、非サービス提供リンクのA-DPCHの送信電力レンジとして設定され得る。
【００４３】
ハードハンドオーバー状態におけるA-DPCHについては、SRBにわたって送信される必要のある制御データが存在する場合、ハードハンドオーバーは異なる周波数を有する別の基地局またはセルへのハンドオーバーを要求するので、より大きな送信電力を使用することによりSRBにわたって制御データを送信することを基地局に可能にさせ、受信が端末により正常に行われ得ることを保証するために、最大送信電力の値が、CQI値とCQI値に対応するA-DPCHの送信電力との間の対応に基づいて、予め設定された量だけ増加させられる必要がある。本発明の本実施形態において、予め設定された量は、予め設定された特定の値、たとえば、2dBであり得る。
【００４４】
本発明の本実施形態における制御データは、無線リソース制御（Radio Resource Control, RRC）接続の確立および再確立に関連するメッセージデータであり得る。
【００４５】
加えて、実際のネットワークでは、セルの下りリンクエアインターフェース負荷が相対的に重い場合、下りリンクエアインターフェース負荷がネットワーク性能に影響を及ぼす障害となり、このケースでは、ソリューションが全体的なネットワーク性能を改善するために使用され得るが、セルの下りリンクエアインターフェース負荷が相対的に軽い場合、下りリンクエアインターフェース負荷はネットワーク性能に影響を及ぼす障害ではなく、ソリューションが使用されずにネットワーク性能への影響が減じられ得る。したがって、非高速下りリンクパケットアクセスHSDPA電力を決定することにより、本願によって提供されるソリューションを使用するかどうかが決定され得、それは特に、非高速下りリンクパケットアクセスHSDPA電力を決定するステップと、非HSDPA電力が予め設定されたしきい値を超える場合、端末によって報告されたチャネル品質インジケータCQIを収集するステップである。
【００４６】
本発明の本実施形態において、予め設定されたしきい値は、100dBであり得る。確かに、本発明の本実施形態における予め設定されたしきい値は、説明のための例にすぎず、特定の値が、エアインターフェース負荷の状況に応じてテストすることにより得られ得る。たとえば、エアインターフェースによって支持される負荷がエアインターフェースの合計支持容量の80%を超えるか、または別の値を超える場合、テストによって得られるHSDPA電力が、予め設定されたしきい値として設定される。
【００４７】
A-DPCHによって占有される送信電力リソースにおける浪費が存在する従来技術と比較すると、本発明の本実施形態によって提供される電力制御方法によると、基地局がA-DPCHの送信電力についての端末の要求にしたがって基地局のA-DPCHの送信電力を調節することにより、A-DPCHが送信電力リソースを浪費することを防止し得る。
【００４８】
さらに、本発明の本実施形態によって提供されるソリューションは、送信電力の上限および下限を提供し、さまざまなチャネル送信電力状況を考慮し、したがって、チャネル条件の変化に動的に適合することができ、それにより、呼び出しのドロップの確率を減じながら電力利得を得る。
【００４９】
CQIを使用することにより端末と基地局との間のA-DPCHの送信電力を制御するプロセスが、上記において詳細に説明されている。図3を参照すると、本発明の実施形態はさらに、以下を含む電力制御方法の実施形態を提供する。
【００５０】
201：基地局が、端末によって報告されたチャネル品質インジケータCQI値を収集する。
【００５１】
202：基地局が、CQI値にしたがって、関連づけられた専用物理チャネルA-DPCHの、CQI値に対応する送信電力レンジを決定する。
【００５２】
203：基地局が、A-DPCHの送信電力レンジ内で、A-DPCHの送信電力を、A-DPCHの送信電力についての端末の要求にしたがって調節する。
【００５３】
本発明の本実施形態によると、基地局は、端末によって報告されたチャネル品質インジケータCQI値を収集し、基地局は、CQI値にしたがって、関連づけられた専用物理チャネルA-DPCHの、CQI値に対応する送信電力レンジを決定し、基地局は、A-DPCHの送信電力レンジ内で、A-DPCHの送信電力を、A-DPCHの送信電力についての端末の要求にしたがって調節する。A-DPCHによって占有される送信電力リソースにおける浪費が存在する従来技術と比較すると、本発明の本実施形態によって提供される基地局は、A-DPCHの送信電力についての端末の要求にしたがって基地局のA-DPCHの送信電力を調節することにより、A-DPCHが送信電力リソースを浪費することを防止し得る。たとえ端末によって要求される量がA-DPCHの送信電力レンジの上限を超える場合であっても、A-DPCHの電力が上限まで調節されるのみであることにより、端末がA-DPCHの過剰な電力リソースを要求した場合にA-DPCHが送信電力リソースを浪費することを防止する。
【００５４】
場合により、図3に対応する任意の実施形態に基づいて、本発明の実施形態によって提供される電力制御方法の別の実施形態では、基地局が、CQI値にしたがって、A-DPCHの、CQI値に対応する送信電力レンジを決定するステップは、CQI値にしたがって、およびCQI値対A-DPCHによって要求されかつCQI値に対応する送信電力の関係表またはシミュレーション図から、A-DPCHの、CQI値に対応する送信電力レンジを基地局により決定するステップを含み得る。
【００５５】
場合により、図3に対応する任意の実施形態に基づいて、本発明の実施形態によって提供される電力制御方法の別の実施形態では、制御データがシグナリング無線ベアラSRBにわたって端末に送信される場合、基地局が、CQI値にしたがって、およびCQI値対A-DPCHによって要求されかつCQI値に対応する送信電力の関係表またはシミュレーション図から、A-DPCHの、CQI値に対応する送信電力レンジ送信電力レンジを決定するステップは、CQI値にしたがって、およびCQI値対A-DPCHによって要求されかつCQI値に対応する送信電力の関係表またはシミュレーション図から、SRBをベアリングするA-DPCHの、CQI値に対応する送信電力レンジを基地局により決定するステップを含み得る。
【００５６】
場合により、図3に対応する実施形態または任意の実施形態に基づいて、本発明の実施形態によって提供される電力制御方法の別の実施形態では、端末がサービス提供リンクと非サービス提供リンクとの間のハンドオーバーエリアにある場合、基地局が端末によって報告されたチャネル品質インジケータCQI値を収集するステップは、端末によって報告されたサービス提供リンクのCQI値を基地局により収集するステップを含み得、基地局が、CQI値にしたがって、関連づけられた専用物理チャネルA-DPCHの、CQI値に対応する送信電力レンジを決定するステップは、基地局により、サービス提供リンクのCQI値にしたがってサービス提供リンクのA-DPCHの送信電力レンジを決定するステップと、サービス提供リンクのA-DPCHの送信電力レンジを非サービス提供リンクのA-DPCHの送信電力レンジとして設定するステップとを含み得る。
【００５７】
場合により、図3に対応する実施形態または任意の実施形態に基づいて、本発明の実施形態によって提供される電力制御方法の別の実施形態では、方法はさらに、端末がハードハンドオーバーエリアにあり、制御データがシグナリング無線ベアラSRBにわたって端末に送信される場合、基地局により、A-DPCHの送信電力を予め設定された量だけ増加させるステップと、A-DPCHの増加させられた送信電力を使用することによりSRBにわたって制御データを送信するステップとを含み得る。
【００５８】
場合により、図3に対応する実施形態または任意の実施形態に基づいて、本発明の実施形態によって提供される電力制御方法の別の実施形態では、基地局が端末によって報告されたチャネル品質インジケータCQI値を収集するステップは、非高速下りリンクパケットアクセスHSDPA電力を基地局により収集するステップと、非HSDPA電力が予め設定されたしきい値を超える場合、端末によって報告されたチャネル品質インジケータCQIを基地局により収集するステップとを含み得る。
【００５９】
本発明における図3の複数の実施形態において説明された電力制御方法の理解のために、図1および図2の説明が参照され得、詳細は再びここで説明されない。
【００６０】
図4を参照すると、本発明の実施形態によって提供される基地局の実施形態は、端末によって報告されたチャネル品質インジケータCQI値を収集するように構成された収集ユニット301と、収集ユニット301によって収集されたCQI値にしたがって、関連づけられた専用物理チャネルA-DPCHの、CQI値に対応する送信電力レンジを決定するように構成された決定ユニット302と、決定ユニット302によって決定されたA-DPCHの送信電力レンジ内で、A-DPCHの送信電力を、A-DPCHの送信電力についての端末の要求にしたがって調節するように構成された調節ユニット303とを含む。
【００６１】
本発明の本実施形態において、収集ユニット301は、端末によって報告されたチャネル品質インジケータCQI値を収集し、決定ユニット302は、収集ユニット301によって収集されたCQI値にしたがって、関連づけられた専用物理チャネルA-DPCHの、CQI値に対応する送信電力レンジを決定し、調節ユニット303は、決定ユニット302によって決定されたA-DPCHの送信電力レンジ内で、A-DPCHの送信電力を、A-DPCHの送信電力についての端末の要求にしたがって調節する。A-DPCHによって占有される送信電力リソースにおける浪費が存在する従来技術と比較すると、本発明の本実施形態によって提供される基地局は、A-DPCHの送信電力についての端末の要求にしたがってA-DPCHの送信電力を調節することにより、A-DPCHが送信電力リソースを浪費することを防止し得る。
【００６２】
場合により、図4に対応する実施形態に基づいて、本発明の実施形態によって提供される基地局の別の実施形態では、決定ユニット302は特に、CQI値にしたがって、およびCQI値対CQI値に対応するA-DPCHの送信電力の関係表またはシミュレーション図から、A-DPCHの、CQI値に対応する送信電力レンジを決定するように構成される。
【００６３】
場合により、図4に対応する任意の実施形態に基づいて、本発明の実施形態によって提供される基地局の別の実施形態では、決定ユニット302は特に、制御データがシグナリング無線ベアラSRBにわたって端末に送信される場合、CQI値にしたがって、およびCQI値対A-DPCHによって要求されかつCQI値に対応する送信電力の関係表またはシミュレーション図から、SRBをベアリングするA-DPCHの、CQI値に対応する送信電力レンジを決定するように構成される。
【００６４】
場合により、図4に対応する実施形態または任意の実施形態に基づいて、本発明の実施形態によって提供される基地局の別の実施形態では、収集ユニット301は特に、端末がサービス提供リンクと非サービス提供リンクとの間のハンドオーバーエリアにある場合、端末によって報告されたサービス提供リンクのCQI値を収集するように構成され、決定ユニット302は特に、サービス提供リンクのCQI値にしたがってサービス提供リンクのA-DPCHの送信電力レンジを決定し、サービス提供リンクのA-DPCHの送信電力レンジを非サービス提供リンクのA-DPCHの送信電力レンジとして設定するように構成される。
【００６５】
場合により、図4に対応する実施形態または任意の実施形態に基づいて、図5を参照すると、本発明の実施形態によって提供される基地局の別の実施形態では、基地局はさらに、増加ユニット304と送信ユニット305とを含み、増加ユニット304は、収集ユニット301が、端末がハードハンドオーバーエリアにあることと、制御データがシグナリング無線ベアラSRBにわたって端末に送信されることとを学習した場合、A-DPCHの送信電力を予め設定された量だけ増加させるように構成され、送信ユニット305は、増加ユニット304によって増加させられたA-DPCHの送信電力を使用することによりSRBにわたって制御データを送信するように構成される。
【００６６】
場合により、図4に対応する実施形態または任意の実施形態に基づいて、本発明の実施形態によって提供される基地局の別の実施形態では、収集ユニット301は特に、非高速下りリンクパケットアクセスHSDPA電力を収集するように構成され、非HSDPA電力が予め設定されたしきい値を超える場合、端末によって報告されたチャネル品質インジケータCQIを収集するように構成される。
【００６７】
図6は、本発明の実施形態に係る基地局20の模式的な構造図である。基地局20は、トランシーバ210、少なくとも1つのプロセッサ230（図6には1つしか示されていないが、実際には複数のプロセッサが存在し得る）、メモリ240、バスシステム250、および基地局コントローラとの通信のための通信ポート220を含み得、トランシーバ210は、端末と通信するように構成され、プロセッサ230、メモリ240、およびトランシーバ210は、バスシステム250を介して互いに通信する。
【００６８】
プロセッサ230およびメモリ240は、物理的に分離され得るか、または共に一体化され得る。1つのプロセッサ230が存在し得るか、または、複数のプロセッサ230が共に一体化されるか、もしくは分離される。複数のメモリ240もまた存在し得る。
【００６９】
メモリ240は、読み出し専用メモリおよびランダムアクセスメモリを含み得、プロセッサ230に命令およびデータを提供し得る。メモリ240の一部はさらに、不揮発性ランダムアクセスメモリ（NVRAM）を含み得る。
【００７０】
メモリ240は、以下の要素、実行可能なモジュール、またはデータ構造、すなわち、さまざまな動作命令を含み、さまざまな動作を実現するために使用される動作命令、および、さまざまなシステムプログラムを含み、さまざまな基本的なサービスを実現し、ハードウェアベースのタスクを処理するために使用されるオペレーティングシステム、またはそのサブセット、またはその拡張セットを記憶する。
【００７１】
本発明の本実施形態において、プロセッサ230は、メモリ240によって記憶された動作命令（動作命令はオペレーティングシステムに記憶されることもできる）を呼び出すことにより、以下の動作、端末によって報告されたチャネル品質インジケータCQI値を収集するステップと、CQI値にしたがって、関連づけられた専用物理チャネルA-DPCHの、CQI値に対応する送信電力レンジを決定するステップと、A-DPCHの送信電力レンジ内で、A-DPCHの送信電力を、A-DPCHの送信電力についての端末の要求にしたがって調節するステップとを実行する。
【００７２】
本発明の本実施形態において、基地局20は、A-DPCHの送信電力についての端末の要求にしたがってA-DPCHの送信電力を調節することにより、A-DPCHチャネルが送信電力リソースを浪費することを防止し得る。たとえ端末によって要求される量がA-DPCHの送信電力の上限を超える場合であっても、A-DPCHの電力が上限まで調節されるのみであることにより、端末がA-DPCHの過剰な電力リソースを要求した場合にA-DPCHが送信電力リソースを浪費することを防止する。
【００７３】
プロセッサ230は、基地局20の動作を制御し、プロセッサ230はまた、CPU（中央処理装置、central processing unit）と呼ばれ得る。メモリ240は、読み出し専用メモリおよびランダムアクセスメモリを含み得、プロセッサ230に命令およびデータを提供し得る。メモリ240の一部はさらに、不揮発性ランダムアクセスメモリ（NVRAM）を含み得る。具体的な応用例において、基地局20のすべての構成要素は、バスシステム250によって共に結合され、バスシステム250は、データバスに加えて、電力供給バス、制御バス、ステータス信号バス、等を含み得る。しかしながら、説明の明確さのために、さまざまなバスは、図においてバスシステム250として示されている。
【００７４】
本発明の上記実施形態において開示された方法は、プロセッサ230に適用され得るか、またはプロセッサ230によって実現され得る。プロセッサ230は、信号処理ケイパビリティを有する集積回路チップであり得る。実現プロセスにおいて、方法のステップは、プロセッサ230におけるハードウェアの集積論理回路を使用することにより、または、ソフトウェアの形態の命令を使用することにより、実現され得る。プロセッサ230は、汎用プロセッサ、デジタルシグナルプロセッサ（DSP）、特定用途向け集積回路（ASIC）、フィールドプログラマブルゲートアレイ（FPGA）もしくは別のプログラマブル論理デバイス、離散ゲートもしくはトランジスタ論理デバイス、または離散ハードウェア構成要素であり得、それらは、本発明の実施形態において開示された方法、ステップ、または論理ブロック図を実現または実行することができる。汎用プロセッサは、マイクロプロセッサであり得るか、または、プロセッサは、任意の従来のプロセッサであり得る。本発明の実施形態において開示された方法のステップは、ハードウェア復号プロセッサにより、または復号プロセッサにおけるハードウェアとソフトウェアモジュールとの組み合わせにより実行されるものとして、直接的に具体化され得る。ソフトウェアモジュールは、ランダムアクセスメモリ、フラッシュメモリ、読み出し専用メモリ、プログラマブル読み出し専用メモリ、電気的に消去可能なプログラマブルメモリ、レジスタ、または当該技術において成熟した任意の他の記憶媒体の中に存在し得る。記憶媒体は、メモリ240の中に存在し得、プロセッサ230は、メモリ240の中の情報を読み出し、上記方法のステップを実現するためにそのハードウェアを使用する。
【００７５】
場合により、プロセッサ230は特に、CQI値にしたがって、およびCQI値対A-DPCHによって要求されかつCQI値に対応する送信電力の関係表またはシミュレーション図から、A-DPCHの、CQI値に対応する送信電力レンジを決定するように構成され得る。
【００７６】
場合により、プロセッサ230は特に、制御データがシグナリング無線ベアラSRBにわたって端末に送信される場合、CQI値にしたがって、およびCQI値対A-DPCHによって要求されかつCQI値に対応する送信電力の関係表またはシミュレーション図から、SRBをベアリングするA-DPCHの、CQI値に対応する送信電力レンジを決定するように構成され得る。
【００７７】
場合により、プロセッサ230は特に、端末がサービス提供リンクと非サービス提供リンクとの間のハンドオーバーエリアにある場合、端末によって報告されたサービス提供リンクのCQI値を収集し、サービス提供リンクのCQI値にしたがってサービス提供リンクのA-DPCHの送信電力レンジを決定し、サービス提供リンクのA-DPCHの送信電力レンジを非サービス提供リンクのA-DPCHの送信電力レンジとして設定するように構成され得る。
【００７８】
場合により、プロセッサ230はさらに、端末がハードハンドオーバーエリアにあり、制御データがシグナリング無線ベアラSRBにわたって端末に送信される場合、A-DPCHの送信電力を予め設定された量だけ増加させるように特に構成され得、トランシーバ210は、A-DPCHの増加させられた送信電力を使用することによりSRBにわたって制御データを送信するように構成される。
【００７９】
場合により、プロセッサ230は特に、非高速下りリンクパケットアクセスHSDPA電力を収集し、非HSDPA電力が予め設定されたしきい値を超える場合、端末によって報告されたチャネル品質インジケータCQIを収集するように構成され得る。
【００８０】
当業者は、実施形態における方法のステップの全部または一部が、関連ハードウェアに命令するプログラムにより実現され得ることを理解し得る。プログラムは、コンピュータ可読記憶媒体に記憶され得る。記憶媒体は、ROM、RAM、磁気ディスク、または光ディスクを含み得る。
【００８１】
上記は、本発明の実施形態により提供される電力制御方法、基地局、およびシステムを詳細に説明している。本明細書において、具体例は、本発明の原理および実現手法を説明するために使用され、実施形態の説明は、本発明の方法および中心となる着想を理解するのに役立つように意図されているにすぎない。一方、当業者は、本発明の着想に基づいて、具体的な実現手法および応用範囲に関し修正変更を行うことができる。したがって、本明細書の内容は、本発明の限定として解釈されるべきではない。
【符号の説明】
【００８２】
20  基地局
201  ステップ
202  ステップ
203  ステップ
210  トランシーバ
220  通信ポート
230  プロセッサ
240  メモリ
250  バスシステム
301  収集ユニット
302  決定ユニット
303  調節ユニット
304  増加ユニット
305  送信ユニット
【図１】
2016533125.tif 000004
【図３】
2016533125.tif 000005
【図４】
2016533125.tif 000006
【図５】
2016533125.tif 000007
【図６】
2016533125.tif 000008
【図２】
2016533125.tif 000009
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
端末からチャネル品質インジケータ(CQI)値を受信するように構成された受信ユニットと、
前記受信ユニットによって受信された前記CQI値にしたがって、関連づけられた専用物理チャネル(A-DPCH)の、前記CQI値に対応する送信電力レンジを決定するように構成された決定ユニットと、
前記決定ユニットによって決定された前記A-DPCHの前記送信電力レンジ内で、前記A-DPCHの送信電力を、前記A-DPCHの前記送信電力についての前記端末の要求にしたがって調節するように構成された調節ユニットと
を備える基地局。
【請求項２】
前記決定ユニットは、前記CQI値にしたがって、およびCQI値対前記CQI値に対応する前記A-DPCHの送信電力の関係表またはシミュレーション図から、前記A-DPCHの、前記CQI値に対応する前記送信電力レンジを決定するように構成される、
請求項1に記載の基地局。
【請求項３】
前記決定ユニットは、制御データがシグナリング無線ベアラ(SRB)にわたって前記端末に送信される場合、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する前記送信電力レンジを決定するように構成される、
請求項2に記載の基地局。
【請求項４】
前記受信ユニットは、前記端末がサービス提供リンクと非サービス提供リンクとの間のハンドオーバーエリアにある場合、前記端末によって報告された前記サービス提供リンクのCQI値を受信するように構成され、
前記決定ユニットは、前記サービス提供リンクの前記CQI値にしたがって前記サービス提供リンクのA-DPCHの送信電力レンジを決定し、前記サービス提供リンクの前記A-DPCHの前記送信電力レンジを前記非サービス提供リンクのA-DPCHの送信電力レンジとして設定するように構成される、
請求項1から3のいずれか一項に記載の基地局。
【請求項５】
前記基地局はさらに、増加ユニットと送信ユニットとを備え、
前記増加ユニットは、前記受信ユニットが、前記端末がハードハンドオーバーエリアにあることと、制御データがシグナリング無線ベアラ(SRB)にわたって前記端末に送信されることとを学習した場合、前記A-DPCHの前記送信電力を予め設定された量だけ増加させるように構成され、
前記送信ユニットは、前記増加ユニットによって増加させられた前記A-DPCHの前記送信電力を使用することにより前記SRBにわたって前記制御データを送信するように構成される、
請求項1から3のいずれか一項に記載の基地局。
【請求項６】
前記受信ユニットは、非高速下りリンクパケットアクセス(HSDPA)電力を受信し、前記非HSDPA電力が予め設定されたしきい値を超える場合、前記端末によって報告されたチャネル品質インジケータ(CQI)を受信するように構成される、
請求項1から5のいずれか一項に記載の基地局。
【請求項７】
端末からチャネル品質インジケータ(CQI)値を基地局により受信するステップと、
前記CQI値にしたがって、関連づけられた専用物理チャネル(A-DPCH)の、前記CQI値に対応する送信電力レンジを前記基地局により決定するステップと、
前記A-DPCHの前記送信電力レンジ内で、前記A-DPCHの送信電力を、前記A-DPCHの前記送信電力についての前記端末の要求にしたがって、前記基地局により調節するステップと
を備える、電力制御方法。
【請求項８】
前記CQI値にしたがって、A-DPCHの、前記CQI値に対応する送信電力レンジを前記基地局により決定するステップは、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジを前記基地局により決定するステップを備える、
請求項7に記載の方法。
【請求項９】
制御データがシグナリング無線ベアラ(SRB)にわたって前記端末に送信される場合、前記CQI値にしたがって、およびCQI値対前記A-DPCHによって要求されかつ前記CQI値に対応する送信電力の関係表またはシミュレーション図から、前記A-DPCHの、前記CQI値に対応する前記送信電力レンジを前記基地局により決定するステップは、前記CQI値にしたがって、およびCQI値対前記A-DPCHによって要求されかつ前記CQI値に対応する送信電力の関係表またはシミュレーション図から、前記SRBをベアリングする前記A-DPCHの、前記CQI値に対応する送信電力レンジを前記基地局により決定するステップを備える、
請求項8に記載の方法。
【請求項１０】
前記端末がサービス提供リンクと非サービス提供リンクとの間のハンドオーバーエリアにある場合、端末によって報告されたチャネル品質インジケータ(CQI)値を基地局により受信するステップは、前記端末によって報告された前記サービス提供リンクのCQI値を前記基地局により受信するステップを備え、
前記CQI値にしたがって、関連づけられた専用物理チャネルA-DPCHの、前記CQI値に対応する送信電力レンジを前記基地局により決定するステップは、前記基地局により、前記サービス提供リンクの前記CQI値にしたがって前記サービス提供リンクのA-DPCHの送信電力レンジを決定するステップと、前記サービス提供リンクの前記A-DPCHの前記送信電力レンジを前記非サービス提供リンクのA-DPCHの送信電力レンジとして設定するステップとを備える、
請求項7から9のいずれか一項に記載の方法。
【請求項１１】
前記方法はさらに、前記端末がハードハンドオーバーエリアにあり、制御データがシグナリング無線ベアラ(SRB)にわたって前記端末に送信される場合、前記基地局により、前記A-DPCHの前記送信電力を予め設定された量だけ増加させるステップと、前記A-DPCHの前記増加させられた送信電力を使用することにより前記SRBにわたって前記制御データを送信するステップとを備える、
請求項7から9のいずれか一項に記載の方法。
【請求項１２】
端末によって報告されたチャネル品質インジケータ(CQI)値を基地局により受信するステップは、非高速下りリンクパケットアクセス(HSDPA)電力を前記基地局により受信するステップと、前記非HSDPA電力が予め設定されたしきい値を超える場合、前記端末によって報告されたチャネル品質インジケータCQIを前記基地局により受信するステップとを備える、
請求項7から11のいずれか一項に記載の方法。
【請求項１３】
端末と基地局とを備える電力制御システムであって、前記基地局は、請求項1から6のいずれか一項に記載の基地局である、無線通信システム。
【請求項１４】
基地局と通信する基地局コントローラを備える無線通信システムであって、前記基地局は、請求項1〜6のいずれか一項に記載の基地局である、無線通信システム。
【請求項１５】
基地局におけるプロセッサに請求項7〜12のいずれか一項に記載のステップを実行させるプログラム。
【請求項１６】
記録されたプログラムを有するコンピュータ可読記憶媒体であって、前記プログラムは、コンピュータに請求項7〜12のいずれか一項に記載の方法を実行させる、コンピュータ可読記憶媒体。
【手続補正２】
【補正対象書類名】明細書
【補正対象項目名】０００２
【補正方法】変更
【補正の内容】
【０００２】
ワイドバンド符号分割多元接続（Wideband Code Division Multiple Access, WCDMA(登録商標)）システムのパケットサービスサポートケイパビリティを改善するために、高速下りリンクパケットアクセス（high speed downlink packet access, HSDPA）技術が導入されている。セルにおけるすべてのHSDPAユーザが、時間分割および符号分割方式で、複数の高速共有制御チャネル（high speed shared control channel, HS-SCCH）および高速物理下りリンク共有チャネル（High-Speed Physical Downlink Shared Channel, HS-PDSCH）を共有する。
【手続補正３】
【補正対象書類名】明細書
【補正対象項目名】０００３
【補正方法】変更
【補正の内容】
【０００３】
各々のHSDPAユーザのために、シグナリングベアリング、上りリンクおよび下りリンクと内側および外側ループの電力制御、および下りリンク同期といった機能を改善するために、第3世代パートナーシッププロジェクト（3rd Generation Partnership Project, 3GPP）のプロトコルによって規定されているように、1つの関連づけられた専用物理チャネル（associated dedicated physical channel、A-DPCH）が構成される必要がある。
【手続補正４】
【補正対象書類名】明細書
【補正対象項目名】０００４
【補正方法】変更
【補正の内容】
【０００４】
A-DPCHの電力制御プロセスは、基地局が端末の内側ループ電力制御（The inner loop power control, ILPC）コマンドワードにしたがってA-DPCHの電力の増加または低下を制御することである。端末がシグナリング無線ベアラ（Signaling radio bearer, SRB）の受信品質を考慮すると、これによって、A-DPCHの送信電力のマージンが予約され、これは、実際のネットワークでA-DPCHによって占有される送信電力リソースにおける浪費を招く。
【手続補正５】
【補正対象書類名】明細書
【補正対象項目名】００２７
【補正方法】変更
【補正の内容】
【００２７】
【図１】本発明の実施形態に係る電力制御システムの実施形態の模式図である。
【図２】本発明の実施形態に係る電力制御方法の実施形態の模式図である。
【図３】本発明の実施形態に係る電力制御方法の別の実施形態の模式図である。
【図４】本発明の実施形態に係る基地局の実施形態の模式図である。
【図５】本発明の実施形態に係る基地局の別の実施形態の模式図である。
【図６】本発明の実施形態に係る基地局の別の実施形態の模式図である。
【手続補正６】
【補正対象書類名】明細書
【補正対象項目名】００３９
【補正方法】変更
【補正の内容】
【００３９】
表1に示された関係表および図2に示されたシミュレーション図は、両者とも基地局のメモリにおいて予め設定され得るか、または、基地局には記憶されないが、たとえば、基地局コントローラに記憶され得、基地局が関係表およびシミュレーション図を必要とする場合、基地局は、基地局と基地局コントローラとの間のインターフェースを使用することにより関係表またはシミュレーション図を収集する。したがって、端末によって報告されたCQI値を収集した後、基地局は、関係表またはシミュレーション図にしたがって、A-DPCHの、CQI値に対応する送信電力レンジを決定し得、したがって、A-DPCHの送信電力の上限と下限との間で、A-DPCHの送信電力をA-DPCHの送信電力についての端末の要求にしたがって調節し得る。調節プロセスは、端末が基地局にコマンドワードを送信することであり得、コマンドワードは、増加または低下命令、たとえば、1dBの増加を搬送する。しかしながら、本発明の本実施形態における電力調節は、CQIに対応する送信電力レンジ内でのみ行われ得るので、たとえ端末によって要求される量がA-DPCHの送信電力レンジの上限を超える場合であっても、A-DPCHの送信電力が上限まで調節されるのみであることにより、端末がA-DPCHの過剰な送信電力リソースを要求した場合にA-DPCHが送信電力リソースを浪費することを防止する。
【手続補正７】
【補正対象書類名】明細書
【補正対象項目名】００４１
【補正方法】変更
【補正の内容】
【００４１】
図2に示されたシミュレーション図は、各々のCQI値に対応するA-DPCHの送信電力の上限および下限を示す。
【手続補正８】
【補正対象書類名】明細書
【補正対象項目名】００４６
【補正方法】変更
【補正の内容】
【００４６】
本発明の本実施形態において、予め設定されたしきい値は、100dBであり得る。確かに、本発明の本実施形態における予め設定されたしきい値は、説明のための例にすぎず、特定の値が、エアインターフェース負荷の状況に応じてテストすることにより得られ得る。たとえば、エアインターフェースによって支持される負荷がエアインターフェースの合計支持容量の80%を超えるか、または別の値を超える場合、テストによって得られる非HSDPA電力が、予め設定されたしきい値として設定される。
【手続補正９】
【補正対象書類名】明細書
【補正対象項目名】００５３
【補正方法】変更
【補正の内容】
【００５３】
本発明の本実施形態によると、基地局は、端末によって報告されたチャネル品質インジケータCQI値を収集し、基地局は、CQI値にしたがって、関連づけられた専用物理チャネルA-DPCHの、CQI値に対応する送信電力レンジを決定し、基地局は、A-DPCHの送信電力レンジ内で、A-DPCHの送信電力を、A-DPCHの送信電力についての端末の要求にしたがって調節する。A-DPCHによって占有される送信電力リソースにおける浪費が存在する従来技術と比較すると、本発明の本実施形態によって提供される基地局は、A-DPCHの送信電力についての端末の要求にしたがって基地局のA-DPCHの送信電力を調節することにより、A-DPCHが送信電力リソースを浪費することを防止し得る。たとえ端末によって要求される量がA-DPCHの送信電力レンジの上限を超える場合であっても、A-DPCHの送信電力が上限まで調節されるのみであることにより、端末がA-DPCHの過剰な電力リソースを要求した場合にA-DPCHが送信電力リソースを浪費することを防止する。
【手続補正１０】
【補正対象書類名】明細書
【補正対象項目名】００５５
【補正方法】変更
【補正の内容】
【００５５】
場合により、図3に対応する任意の実施形態に基づいて、本発明の実施形態によって提供される電力制御方法の別の実施形態では、制御データがシグナリング無線ベアラSRBにわたって端末に送信される場合、基地局が、CQI値にしたがって、およびCQI値対A-DPCHによって要求されかつCQI値に対応する送信電力の関係表またはシミュレーション図から、A-DPCHの、CQI値に対応する送信電力レンジを決定するステップは、CQI値にしたがって、およびCQI値対A-DPCHによって要求されかつCQI値に対応する送信電力の関係表またはシミュレーション図から、SRBをベアリングするA-DPCHの、CQI値に対応する送信電力レンジを基地局により決定するステップを含み得る。
【手続補正１１】
【補正対象書類名】明細書
【補正対象項目名】００６７
【補正方法】変更
【補正の内容】
【００６７】
図6は、本発明の実施形態に係る基地局20の模式的な構造図である。基地局20は、トランシーバ210、少なくとも1つのプロセッサ230（図6には1つしか示されていないが、実際には複数のプロセッサが存在し得る）、メモリ240、バスシステム250、および基地局コントローラとの通信のための通信インターフェース220を含み得、トランシーバ210は、端末と通信するように構成され、プロセッサ230、メモリ240、およびトランシーバ210は、バスシステム250を介して互いに通信する。
【国際調査報告】
2016533125.tif 000010
2016533125.tif 000011
2016533125.tif 000012
2016533125.tif 000013